(57)【要約】【課題】誤飲を防ぐ安全な構成であり且つ使用者が十分な咀嚼感を得ることができる咀嚼用器具を提供すること。【解決手段】口腔Ｍ内部で咀嚼をするための咀嚼用器具１であって、内径が２０〜２５ｍｍ、外径が２５ｍｍ〜３０ｍｍの中空の輪状であり、硬度が２０度〜３０度の軟性の合成樹脂によって構成されることを特徴とする咀嚼用器具１。【選択図】図１
0003119344.tif 000002
【実用新案登録請求の範囲】
【請求項１】
口腔内部で咀嚼をするための咀嚼用器具であって、
内径が２０〜２５ｍｍ、外径が２５ｍｍ〜３０ｍｍの中空の輪状であり、硬度が２０度〜３０度の軟性の合成樹脂によって構成されることを特徴とする咀嚼用器具。
【請求項２】
請求項１に記載の咀嚼用器具であって、
前記咀嚼用器具の縦方向の断面は円形又は楕円形であることを特徴とする咀嚼用器具。
【考案の詳細な説明】
【技術分野】
【０００１】
本考案は、口腔内に入れ咀嚼するための咀嚼用器具に関する。
【背景技術】
【０００２】
従来、口腔内に入れて、咀嚼等を行う器具がある（例えば、特許文献１参照）。特許文献１の器具は、ゴム等の柔軟性のある素材により中空円筒状に構成される。これにより、口腔内で、ガムを噛むような咀嚼動作や、煙草を吸うような吸引動作をし、ガムを噛んだり煙草を吸ったりすることの擬似体験をすることができる。
【０００３】
【特許文献１】特開２００２−３６０９５０
【考案の開示】
【考案が解決しようとする課題】
【０００４】
しかしながら、口腔内で円筒形状の器具を使用する場合、特許文献１のように器具の円筒形の直径が喉の径よりも小さいと、器具が咽喉から食道へと侵入してしまうおそれがある。このため使用時の安全面で課題がある。
【０００５】
また、円筒形状であると、十分な咀嚼感が得られず、予定していた効能を得られない場合がある。即ち、例えば特許文献１のような円筒状である場合、円筒の軸と直交する方向の厚みは薄く（特許文献１の図１参照）、咀嚼方向の器具の弾力が小さくなる。このように弾力が小さいと、咀嚼動作を行う使用者が十分な咀嚼感が得られないことも考えられる。そして、咀嚼感を十分に得られないと、咀嚼による効用を十分に受けられないおそれがある。
【０００６】
そこで、本考案の目的は、誤飲を防ぐ安全な構成であり且つ使用者が十分な咀嚼感を得ることができる咀嚼用器具を提供することである。
【課題を解決するための手段】
【０００７】
前記目的を達成するための本考案の代表的な構成は次の通りである。
【０００８】
（１）口腔内部で咀嚼をするための咀嚼用器具であって、内径が２０〜２５ｍｍ、外径が２５ｍｍ〜３０ｍｍの中空の輪状であり、硬度が２０度〜３０度の軟性の合成樹脂によって構成されることを特徴とする咀嚼用器具。
【０００９】
（２）（１）に記載の咀嚼用器具であって、前記咀嚼用器具の断面は円形又は楕円形であることを特徴とする咀嚼用器具。
【考案の効果】
【００１０】
（１）のように、咀嚼用器具を輪状で所定硬度の軟性の合成樹脂を使用する。このように、その弾性により使用者が適度な咀嚼感を得られる一方、その復元力により使用者は継続的な咀嚼動作を行うことができる。また、その復元力により、歯による咀嚼が行われないときは、すぐに復元する。これにより、誤飲を防ぐ、安全な構成である。
【００１１】
（２）のように、断面を円形又は楕円形のように、滑らかな構成とすると、咀嚼を行うときに歯当たり又は口当たりがよくなり、長時間咀嚼動作を継続することができる。このため、咀嚼動作を効果的に促すことができる。
【考案を実施するための最良の形態】
【００１２】
図を用いて本実施形態を説明する。図１は咀嚼用器具１の構成を示す図である。図１には、咀嚼用器具１の上面図、平面図、側面図、断面図を示している。図２は咀嚼用器具１の状態を示す図であり、図２（ａ）は咀嚼用器具１の斜視図であり、図２（ｂ）は指で押さえた図である。図３は咀嚼用器具１の使用状態を示す説明図であり、図３（ａ）は口腔内に入れる状態の図であり、図３（ｂ）は咀嚼用器具１が口腔の奥に入った場合の説明図である。
【００１３】
説明にあたっては、まず咀嚼用器具１の構造を説明し、次に、咀嚼用器具１の使用方法について説明する。最後に、それらの効用について詳細に説明する。
【００１４】
（咀嚼用器具１の構造）
図１及び図２を用いて本実施形態に係る咀嚼用器具１の構造を説明する。
【００１５】
咀嚼用器具１は、図１及び図２（ａ）に示すように、中空の輪状の形状である。本実施形態においては、咀嚼用器具１の輪の内径φ１は２０〜２５ｍｍであり、外径φ２は２５ｍｍ〜３０ｍｍである。輪の断面の幅Ｗは２〜５ｍｍである。また、図１に示すように、咀嚼用器具１の断面は、円形又は楕円形のように、表面が滑らかになるように構成される。
【００１６】
咀嚼用器具１の材質は、シリコンゴム等の軟性の樹脂である。軟性樹脂の硬度は、２０度〜３０度である。このため咀嚼用器具１は、図２（ｂ）に示すように、指Ｆで押圧する程度の力で容易に弾性変形する。一方、押圧をやめると、その動作に合わせて咀嚼用器具１が弾性変形し、形状がもとの輪状に復元する。
【００１７】
（咀嚼用器具１の使用方法）
図３を用いて咀嚼用器具１の使用方法を説明する。
【００１８】
咀嚼用器具１の非使用状態において、外力が加わらない状態においては、図２（ａ）に示すように、咀嚼用器具１は輪状になっている。
【００１９】
咀嚼用器具１の使用時においては、図３（ａ）に示すように、使用者が口腔Ｍ内に入れて咀嚼をする。すると、輪状であった咀嚼用器具１は、使用者の歯によって押圧される。これにより、咀嚼用器具１は押圧方向に変形する。
【００２０】
咀嚼用器具１の使用後、咀嚼用器具１が使用者の口腔内から取り出されると、咀嚼用器具１は、その材質が有する弾性により自然に輪状に復元する。このような構成により、咀嚼用器具１は、何度でも繰り返し使用することができる。
【００２１】
（咀嚼用器具１の使用による作用）
上述のような構成により、次のような作用がある。
【００２２】
まず、咀嚼用器具１は、軟性樹脂により形成され、適度な弾力を持つ。このため、使用者の口腔内に入れられて咀嚼動作が行われると、咀嚼用器具１はその有する弾力により、適度な刺激を使用者の歯に与える。このように、適度な刺激が歯に与えられることにより、咀嚼動作を司る口腔周りの筋肉に刺激を与え、使用者が十分な咀嚼感を得ることができる。そして、口腔内に咀嚼用器具１のような物質が入っていると、煙草や食事などを口腔内に入れる気を紛らわせることができる。このため、禁煙・節煙の効果や間食の量の削減になる。また、このように口腔周りの筋肉への刺激により脳に刺激が伝達され、眠気防止等の効果もある。
【００２３】
また、咀嚼用器具１は、軟性樹脂が有する弾性によって、形状が何度も復元する。このため、咀嚼用器具１が口腔内にある間、長時間の咀嚼動作を行うことができる。このように、長時間咀嚼動作を行うことにより、唾液を長時間にわたり分泌させることができる。ここで、唾液には、抗酸化作用、抗菌作用、抗発ガン作用等の性質をもつ様々な物質（例えば、ムチン、アミラーゼ、リゾチーム、ラクトペリオキシダーゼ、ガスチン、スタテリン、等）が含まれている。このため、唾液を長時間分泌させることにより、それらの効用を得ることができる。
【００２４】
さらに、咀嚼用器具１の弾性は、歯による押圧力が働かない状態においては形状が瞬時に復元する程度に構成されている。このように構成されていると、歯の当接していない咀嚼用器具１は瞬時に輪状になり、最大の直径になる。このため、図３（ｂ）に示すように、咽喉Ｔの手前の部分で輪の表面が当接し、咽喉Ｔの奥には入っていかない。これにより、誤飲を防止することができ、安全である。
【００２５】
また、咀嚼用器具１は、中空の輪状の形状である。このため、咀嚼用器具１は無理なく自在に変形し、過度の力を歯に与えることを防止する。すると、使用の際に無理なく長時間の咀嚼動作を行うことができ、咀嚼による効用を効果的に得ることができる。
【００２６】
また、咀嚼用器具１の縦方向の断面は、表面が滑らかになるように構成される。本実施形態においては、図１の縦方向の断面図に示すように、円形の断面であるが、楕円形であってもよい。これにより、口当たりがソフトになり、好ましい咀嚼感となる。このため、長時間咀嚼動作を継続することができ、咀嚼動作を効果的に促すことができる。
【００２７】
〔他の実施形態〕
前述した実施形態において、咀嚼用器具の形状は、ほぼ真円に近い輪状で構成されていたが、これに限るものではなく、楕円等であってもよい。ここで、楕円である場合、小さい方の径が咽喉Ｔよりも大きい径である必要がある。これにより、誤飲を防止することができる。
【産業上の利用可能性】
【００２８】
本考案は、口腔内に入れ咀嚼するための咀嚼用器具に利用することができる。
【図面の簡単な説明】
【００２９】
【図１】咀嚼用器具１の構成を示す図。
【図２】咀嚼用器具１の状態を示す図。
【図３】咀嚼用器具１の使用状態を示す説明図。
【符号の説明】
【００３０】
Ｆ…指、Ｍ…口腔、Ｔ…咽喉、Ｗ…幅、１…咀嚼用器具
【図１】
0003119344.tif 000003
【図２】
0003119344.tif 000004
【図３】
0003119344.tif 000005